(57)【特許請求の範囲】
【請求項１】
通常動作モード状態で開閉機の駆動装置を駆動してシャッターカーテンを自動的に開閉作動せしめる通常動作用操作装置と、操作されることで前記通常動作モードから非常閉鎖モードに切換えて開閉機のブレーキ装置を制動解除してシャッターカーテンを自重降下せしめる非常閉鎖用スイッチと、前記非常閉鎖モードを通常動作モードに切換えるため操作される復帰スイッチとを備え、前記通常動作用操作装置を、遠隔操作する無線式操作具と、該無線式操作具から送信される信号を受信して開閉機の制御部に入力せしめる受信部とを用いて構成する一方、前記受信部と非常閉鎖用スイッチと復帰スイッチとを、縦一列状にして一つの縦長の操作ユニットに設け、該操作ユニットを、シャッターカーテンの左右両側部を移動案内するガイドレールに設けて防火シャッター装置を構成するにあたり、操作ユニットは、前後端部が開口したケース体と、該ケース体の前側開口端に固定される取付けプレートと、ケース体の後側開口端に固定され、前面に基板が固定される奥側カバー体とを備えて構成され、前記基板の前面には、非常閉鎖用スイッチ、受信部、復帰スイッチが縦一列状に設けられ、前記奥側カバー体からは、ガイドレールの空間部を経由して制御部に接続される配線が引き出され、前記取付けプレートには、非常閉鎖用スイッチ、受信部、復帰スイッチに対して前方向に対向するよう第一、第二、第三貫通孔がそれぞれ開設され、第一貫通孔には、ケース体に対して前後方向出没自在に嵌入していて、弾機付勢力を受けて非常閉鎖用スイッチに干渉しない前方の非作用姿勢と弾機付勢力に抗して後方に押圧されることで非常閉鎖用スイッチのスイッチ切換えをする作用姿勢とに変姿するスイッチカバーが設けられ、第二貫通孔には、取付けプレートの後面に宛てがわれることで該第二貫通孔を覆蓋をするカバー体が設けられ、第三貫通孔には、上下方向移動自在に設けられ、下方に押し下げ変位することで該第三貫通孔が開放されて前記復帰スイッチのスイッチ切換えができるスイッチ窓が設けられていることを特徴とする防火シャッター装置。
【請求項２】
非常閉鎖用スイッチは、開閉機の制御部を通常動作モードから非常閉鎖モードに切換えるものとし、操作ユニットには、通常動作モードにおいて開閉作動するシャッターカーテンを停止する停止スイッチが設けられていることを特徴とする請求項１に記載の防火シャッター装置。
【請求項３】
操作ユニットには、受信部の受信状態を表示する表示ランプが設けられていることを特徴とする請求項１または２に記載の防火シャッター装置。
【発明の詳細な説明】
【技術分野】
【０００１】
本発明は、建築物の出入り口、通路等に設けられ、火災等の非常時に自重で閉鎖する防火シャッター装置の技術分野に属するものである。
【背景技術】
【０００２】
一般に、この種防火シャッター装置のなかには、通常時においては通常動作用操作装置の操作に対応するシャッターカーテンの開閉作動がなされるが、火災発生等の非常時では、煙感知器や火災感知器による感知、あるいは、開口部近傍に設けた非常閉鎖用操作具としての非常閉鎖用スイッチをスイッチ切換えすることにより、開閉機のブレーキ装置を制動解除してシャッターカーテンが自重降下するように構成し、停電時であってもシャッターカーテンの閉鎖ができるようにしたものが知られている。
このようなものでは、通常動作用操作装置と非常閉鎖用操作具との両者が必要となり、そこで、これら各操作具を防犯性の観点からスイッチボックスに設ける構成とし、該スイッチボックスを、自重降下式シャッター装置が設けられる開口部近傍の人が操作しやすい場所に設置したものが提唱されている。
【先行技術文献】
【特許文献】
【０００３】
【特許文献１】特開２００７−７７７１９号公報
【発明の概要】
【発明が解決しようとする課題】
【０００４】
しかるに、前記従来のものにおいて、非常閉鎖用スイッチは、悪戯等への対策としてスイッチボックスの見付け面に樹脂ガラス等のパネル体を設け、該パネル体を破壊することで非常閉鎖用スイッチが操作できるように構成されている。この場合では、パネル体を破壊されやすくするためスイッチボックスの形状をある程度大きなものにする必要がある。このため、設置箇所によっては意匠性を損なうことがあるばかりでなく、通行時等に荷物がスイッチボックスに当たって非常閉鎖用スイッチが押圧操作されて、シャッターカーテンが自重降下するような誤作動が発生したり、悪戯を受けやすい等の問題があるうえ、壊れたパネル体を元状態に復帰するために所定のメンテナンスが必要となるという別の問題もある。また、このものにおて、通常動作用操作装置（例えば押ボタンスイッチ）は鍵付の開閉扉の内側に設けられる構成であるため、シャッターカーテンを開閉する場合ではいちいち鍵を用いて開閉扉を開放してからスイッチ操作をし、操作終了後は再び開閉扉を閉鎖して鍵をかけるという操作が必要で、操作が煩雑になるという問題がある。
さらに、スイッチボックスを開口部近傍に設ける場合では、スイッチボックスと自重降下式シャッター装置との間の配線は、金属製のパイプ材に挿通する等して火災による燃焼を防止する防火対策を施して設けなければならないが、このようにするためには、配管を含む特殊な配線作業が必要となるため工事が煩雑になって、時間がかかってしまうという問題がある。また、シャッター装置の設置工事は、躯体工事が完了する以前の段階でなされることが多く、このため、スイッチボックスを開口部近傍に設ける場合では、シャッター装置の設置時点でスイッチボックスの配設位置を決定することが難しく、仮に手動操作具を開口部近傍の適宜箇所に設置したとしても躯体工事が完了したときに配設位置を変更をせざるを得ない事態が生じることがあり、このようになると、スイッチボックスを設けるために躯体工事を伴う大がかりな作業が必要になるという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、通常動作モード状態で開閉機の駆動装置を駆動してシャッターカーテンを自動的に開閉作動せしめる通常動作用操作装置と、操作されることで前記通常動作モードから非常閉鎖モードに切換えて開閉機のブレーキ装置を制動解除してシャッターカーテンを自重降下せしめる非常閉鎖用スイッチと、前記非常閉鎖モードを通常動作モードに切換えるため操作される復帰スイッチとを備え、前記通常動作用操作装置を、遠隔操作する無線式操作具と、該無線式操作具から送信される信号を受信して開閉機の制御部に入力せしめる受信部とを用いて構成する一方、前記受信部と非常閉鎖用スイッチと復帰スイッチとを、縦一列状にして一つの縦長の操作ユニットに設け、該操作ユニットを、シャッターカーテンの左右両側部を移動案内するガイドレールに設けて防火シャッター装置を構成するにあたり、操作ユニットは、前後端部が開口したケース体と、該ケース体の前側開口端に固定される取付けプレートと、ケース体の後側開口端に固定され、前面に基板が固定される奥側カバー体とを備えて構成され、前記基板の前面には、非常閉鎖用スイッチ、受信部、復帰スイッチが縦一列状に設けられ、前記奥側カバー体からは、ガイドレールの空間部を経由して制御部に接続される配線が引き出され、前記取付けプレートには、非常閉鎖用スイッチ、受信部、復帰スイッチに対して前方向に対向するよう第一、第二、第三貫通孔がそれぞれ開設され、第一貫通孔には、ケース体に対して前後方向出没自在に嵌入していて、弾機付勢力を受けて非常閉鎖用スイッチに干渉しない前方の非作用姿勢と弾機付勢力に抗して後方に押圧されることで非常閉鎖用スイッチのスイッチ切換えをする作用姿勢とに変姿するスイッチカバーが設けられ、第二貫通孔には、取付けプレートの後面に宛てがわれることで該第二貫通孔を覆蓋をするカバー体が設けられ、第三貫通孔には、上下方向移動自在に設けられ、下方に押し下げ変位することで該第三貫通孔が開放されて前記復帰スイッチのスイッチ切換えができるスイッチ窓が設けられていることを特徴とする防火シャッター装置である。
請求項２の発明において、非常閉鎖用スイッチは、開閉機の制御部を通常動作モードから非常閉鎖モードに切換えるものとし、操作ユニットには、通常動作モードにおいて開閉作動するシャッターカーテンを停止する停止スイッチが設けられていることを特徴とする請求項１に記載の防火シャッター装置である。
請求項３の発明において、操作ユニットには、受信部の受信状態を表示する表示ランプが設けられていることを特徴とする請求項１または２に記載の防火シャッター装置である。
【発明の効果】
【０００６】
請求項１の発明とすることにより、遠隔操作具を用いることで防犯対策を図れるうえ、シャッターカーテンの開閉操作に必要な操作部材が全てガイドレールに設けられて、操作部を躯体壁面に設けるもののように意匠を損なうことがない。しかも、躯体工事と防火シャッター装置の設置工事とを区別化することができるうえ、操作部材からの配線用に特別な部材を用いる必要がなくなって部品点数の削減を図れるうえ、操作性、メンテナンス性に優れた防火シャッター装置とすることができる。
請求項２の発明とすることにより、操作性に優れた防火シャッター装置とすることができる。
請求項３の発明とすることにより、表示ランプを目視しやすく、操作性のさらなる改善を図ることができる。
【図面の簡単な説明】
【０００７】
【図１】シャッター装置の概略斜視図である。
【図２】図２（Ａ）、（Ｂ）はそれぞれ自動閉鎖装置の底面図、正面図である。
【図３】図３（Ａ）、（Ｂ）はそれぞれガイドレールに操作ユニットを組込んだ状態の側面図、平面断面図である。
【図４】図４（Ａ）、（Ｂ）、（Ｃ）はそれぞれ操作ユニットの正面図、平面図、底面図である。
【図５】図４（Ａ）におけるＸ−Ｘ断面図である。
【発明を実施するための形態】
【０００８】
以下、本発明の実施の形態について、図面に基づいて説明する。
図面において、１は通路、出入り口等の開口部に建付けられる防火シャッター装置であって、該防火シャッター装置１を構成するシャッターカーテン２は、開口部上方に配される図示しない巻取りドラムに巻装されており、開口部上方に配設される開閉機３の正逆駆動（開閉駆動）に基づいて巻取りドラムが正逆回転することにより、シャッターカーテン２が巻取り、巻出しされ、シャッターカーテン２の両側部が開口部の左右両側に立設されたガイドレール４に移動案内される状態で開口部を上下動し、開口部を開放する全開姿勢と開口部を閉鎖する全閉姿勢との間を開閉作動するように構成されており、これらの構成は何れも従来通りの構成となっている。
【０００９】
前記開閉機３は本実施の形態では電動式に構成されており、駆動装置に相当する減速機５ａ付きの電動モータ５、シャッターカーテン２が自重降下（自重閉鎖）する場合の調速をする調速機、シャッターカーテン２の閉鎖作動を制動するブレーキ装置等を備えて構成されている。さらに、開閉機３には該開閉機３を開閉駆動制御するために必要な配線がなされたシャッター制御盤３ａが設けられており、該シャッター制御盤３ａに、シャッターカーテン２の開閉制御をするための制御部６が接続されている。
７は、本発明の通常動作用操作装置の構成部材である無線式操作具に相当する遠隔操作具７であって、該遠隔操作具７に設けられた開放、閉鎖、停止用スイッチＰＢＵ、ＰＢＤ、ＰＢＳの選択的な操作がなされると、対応する開放、閉鎖、停止の各操作信号は、後述するように、ガイドレール４に配された操作ユニット８に設けられる受信部９を介して制御部６に入力されるように構成されている。
さらに、制御部６には、開閉機３に設けられシャッターカーテン２の全閉姿勢、全開姿勢を検知するリミットスイッチ１０からの上、下限検知信号、シャッターカーテン２の下端部に設けられる障害物検知スイッチ１１からの障害物検知信号等、必要なスイッチ類やセンサ類からの信号が入力されるように構成されており、制御部６は、これら入力された各信号に基づいて対応する駆動指令をシャッター制御盤３ａに対して出力して開閉機３の駆動制御を行なうように設定されている。
【００１０】
そして、制御部６は、平常時では通常動作モードとなるように設定されており、該通常作動モードにおいては、遠隔操作具７からの開放、または、閉鎖スイッチＰＢＵ、ＰＢＤのスイッチ操作に基づく開放、閉鎖操作信号が受信部８を介して入力されることに伴い、シャッター制御盤３ａ（開閉機３）に対しブレーキ装置を制動解除するための制動解除指令を出力するとともに、電動モータ５を開放または閉鎖駆動するための開放または閉鎖駆動指令を出力して、シャッターカーテン２を開閉作動させるように構成されている。一方、遠隔操作具７の停止用スイッチＰＢＳのスイッチ操作がなされて停止操作信号の入力がなされると、制御部６は、シャッター制御盤３ａ（開閉機３）に対し電動モータ５を駆動停止するための駆動停止指令を出力するとともに、ブレーキ装置を制動するための制動指令を出力して、シャッターカーテン２を停止させるように構成されている。また、シャッターカーテン２の開閉作動の過程で障害物検知スイッチ１１からの障害物検知信号の入力がなされると、制御部６は、シャッター制御盤３ａに対して電動モータ５の駆動停止指令を出力するとともに、ブレーキ装置の制動指令を出力してシャッターカーテン２を緊急停止する等の障害物検知制御を行うように構成されており、このようにして、制御部６によるシャッターカーテン２の開閉制御がなされるが、これらの制御構成は何れも従来通りであるのでその詳細については省略するが、遠隔操作具７を用いてシャッターカーテン２の開閉制御をすることにより、従来の鍵付のスイッチボックス内に設けられた操作スイッチと同様に防犯性の優れた防火シャッター装置１とすることができる。
尚、制御部６の制動解除指令に基づくブレーキ装置の制動解除手段は、例えば、電磁ソレノイド（図示せず）の励磁鉄心（図示せず）を励磁せしめることによる付勢弾機に抗した変位作動により電気的になされるように構成されている。
【００１１】
ここで、前記障害物検知スイッチ１１は、シャッターカーテン２の最下端に設けられる座板２ａに配される所謂座板スイッチで構成されており、座板２ａが障害物に当接して上動することに基づいてスイッチ切換えがなされ、障害物検知信号を出力するように構成されている。そして、障害物検知スイッチ１１に一端部が接続されるリード線１１ａの他端部は、制御部６に接続されていて障害物検知信号を制御部６に入力するように構成されているが、リード線１１ａの中間部は、開口部上方に取付けられたコードリール１１ｂに巻取り方向に付勢される状態で巻装されており、シャッターカーテン２の開閉作動に合わせてリード線１１ａが巻取り、巻出しされるように構成されている。
【００１２】
一方、前記開閉機３には、ブレーキ装置を機械的に制動解除状態−復帰状態（制動状態）に切換えるためのブレーキ解除レバー１２が設けられており、該ブレーキ解除レバー１２は、図示しない弾機の付勢力によってブレーキ装置を制動状態とする制動姿勢に弾持されるように設定されている。そして、弾機の付勢力に抗してブレーキ解除レバー１２が制動姿勢から制動解除姿勢に強制的に変姿することにより、ブレーキ装置が制動解除状態となってシャッターカーテン２を自重降下させるように構成されている。
【００１３】
前記ブレーキ解除レバー１２は、開閉機３に一体的に設けられる自動閉鎖装置１３に連繋されており、該自動閉鎖装置１３を駆動することにより、ブレーキ解除レバー１２が制動姿勢から制動解除姿勢に変姿するように構成されている。
前記自動閉鎖装置１３は、図２に示すように、箱形のケーシング１３ａを備えて構成されており、該ケーシング１３ａ内には、電動モータ１３ｂ、該電動モータ１３ｂの駆動力に連動連結されるブレーキ装置１３ｃ、ブレーキ装置１３ｃから出力する出力軸１３ｄに一体的に設けられるピニオン１３ｅ、該ピニオン１３ｅに噛合して直線状の往復変位をするラック１３ｆ、該ラック１３ｆと一体的に変位してブレーキ解除レバー１２に干渉するアーム体１３ｇ、該アーム体１３ｇの変位に伴いスイッチ切換えされるマイクロスイッチ１３ｈ、前記アーム体１３ｇを元位置に復帰させるための弾機１３ｉ等の部材が設けられている。そして、自動閉鎖装置１３に電源供給がなされると、電動モータ１３ｂが駆動するとともにブレーキ装置１３ｃを制動解除状態とするように構成されており、この状態になると、電動モータ１３ｂの駆動に伴い回転するブレーキ装置１３ｃの出力軸１３ｄがピニオン１３ｅを回転し、ラック１３ｆと一体変位するアーム体１３ｇを弾機１３ｉの付勢力に抗して変位させ、ケーシング１３ａ内に突出するブレーキ解除レバー１２を弾機に抗して制動解除姿勢に変姿せしめるように構成されており、この状態になると、シャッターカーテン２が自重降下するように構成されている。そして、アーム体１３ｇは、ブレーキ解除レバー１２を制動解除姿勢に変位させることに伴い、マイクロスイッチ１３ｈをスイッチ切換えするように構成されており、この状態になると、電動モータ１３ｂ、ブレーキ装置１３ｃへの電源供給が停止される一方で、ブレーキ装置１３ｃが制動状態となってアーム体１３ｇを前記変位した姿勢に保持して、ブレーキ解除レバー１２を制動解除姿勢に保持（シャッターカーテン２の自重降下）するように構成されており、これによって、電源（バッテリ電源）の消耗を抑制することができるように構成されている。
一方、前記アーム体１３ｇが変位している状態において、ブレーキ装置１３ｃに電源供給がなされて制動解除状態となると、アーム体１３ｇが弾機１３ｉの付勢力を受けて元位置に復帰し、ブレーキ解除レバー１２を制動姿勢とするように構成されている。
【００１４】
このように構成された自動閉鎖装置１３は制御部６に接続されている一方、開口部上方には煙感知器１４が設けられており、該煙感知器１４は火災発生時の煙を検知することに伴い異常検知信号を出力するように構成されており、該出力された異常検知信号は、開口部の壁面に設けられ、バッテリが搭載された防災盤１５を経由して制御部６に入力するように構成されている。さらに、前記受信部９が設けられ、ガイドレール４に配された操作ユニット８には、本発明の非常閉鎖用操作具に相当する非常閉鎖用スイッチ１６が設けられており、非常閉鎖用スイッチ１６が押し操作されることに伴い非常閉鎖信号が制御部６に入力されるように構成されている。
そして、制御部６は、煙感知器１４からの異常検知信号、または、煙感知器１４による検知に先行して非常閉鎖用スイッチ１６が押し操作されて非常閉鎖信号が入力された場合に、通常動作モードから非常時に対応する非常閉鎖モードに切換わるとともに、前記自動閉鎖装置１３を駆動してシャッターカーテン２を自重降下するように構成されている。このとき、制御部６は主電源の他にバッテリ電源を備えて構成されており、自動閉鎖装置１３はバッテリ電源からの電源供給を受けて作動するように構成され、これによって、停電時であってもシャッターカーテン２の自重降下がなされるように構成されている。
【００１５】
さらに、制御部６は、前記非常閉鎖モードにおいて障害物検知スイッチ１１から障害物検知信号が入力された場合に、自動閉鎖装置１３のブレーキ装置１３ｃに電源供給するように構成されている。この状態になると、ブレーキ装置１３ｃが制動解除状態となってピニオン１３ｅがフリーとなり、ブレーキ解除レバー１２を制動解除姿勢に保持しているアーム体１３ｇが弾機１３ｉの付勢力を受けて元位置に復帰するように構成されており、これによって、ブレーキ解除レバー１２が弾機の付勢力を受けて制動姿勢に復帰し、シャッターカーテン２の自重降下を緊急停止するように構成されている。そして、この状態において、障害物検知信号の入力がなくなり、煙感知器１４からの異常検知信号、または、非常閉鎖用スイッチ１６からの非常閉鎖信号の入力がある場合では、再び電動モータ１３ｂ、ブレーキ装置１３ｃに電源供給がなされて、アーム体１３ｇがブレーキ解除レバー１２を制動解除姿勢に保持する一方で、電動モータ１３ｂとブレーキ装置１３ｃへの電源供給が停止する状態となって、シャッターカーテン２を自重降下させるように構成され、このように、自動閉鎖装置１３は、シャッターカーテン２の自重降下の過程でバッテリ電源の消耗を低減させることができ、しかも、自重降下の過程で障害物に当接した場合では緊急停止がなされ、障害物を取除くことで、シャッターカーテン２を全閉姿勢となるまで自重降下させることができるように構成されている。
尚、この非常閉鎖モードにおいて、制御部６は遠隔操作具７から信号が入力されても無視するように構成されており、シャッターカーテン２が自重降下している状態では、遠隔操作具７の停止用スイッチＰＢＳを押し操作してもシャッターカーテン２の閉鎖を停止させることができないように構成されている。そして、制御部６は、後述するように、操作ユニット８に設けられた復帰スイッチ１７の押し操作がなされて復帰信号の入力がなされることで、非常閉鎖モードから通常動作モードに切換わり、遠隔操作具７からの信号に基づいてシャッターカーテン２の開閉制御がなされるように構成されている。
【００１６】
さて、前記操作ユニット８は、前述したように、通常動作用操作装置である遠隔操作具７からの信号を受信して制御部６に入力する受信部９と、後方への押し操作でスイッチ切換えする非常閉鎖用スイッチ１６、復帰スイッチ１７とが設けられていて、シャッターカーテン２を開閉操作するために必要となる操作部が全て纏められたものとなっている。そしてこのものでは、図４、図５から明らかなように、操作ユニット８は縦長であり、受信部９と非常閉鎖用スイッチ１６と復帰スイッチ１７とは縦一列の状態で操作ユニット８に設けられている。
さらに、操作ユニット８には、通常動作モードで開閉作動（遠隔操作具７に基づいた開閉作動）するシャッターカーテン２を停止作動するためのスイッチであって、後方への押し操作でスイッチ切換えされ、遠隔操作具７の停止用スイッチＰＢＳと同様の機能を果す補助停止用スイッチ１８とが設けられており、このように構成された操作ユニット８は、開口部に設けられる左右一対のガイドレール４のうち、一方のガイドレール４（本実施の形態では図１において左側のガイドレール）に設けられている。
【００１７】
前記操作ユニット８は、受信部９、そして、非常閉鎖用スイッチ１６、復帰スイッチ１７、補助停止用スイッチ１８が収容されるケース体１９と、該ケース体１９の一側に固定される取付けプレート２０とを備えて構成されている。ここで、操作ユニット８の詳細な説明をするにあたり、図３（Ａ）に示す操作ユニット８を正面図として説明する。
前記ケース体１９は、上下方向長尺状で前後端部に開口が形成された角筒形状に形成されており、前方の開口端に取付けプレート２０が突き当て状に固定され、後方の開口端に奥側カバー体２１が固定されており、該奥側カバー体２１の前面には基板２１ａが固定されており、該基板２１ａの前面に、上側から順に非常閉鎖用スイッチ１６、表示ランプ２２、受信部９、復帰スイッチ１７、補助停止用スイッチ１８とが必要な配線とともに設けられている。
尚、前記表示ランプ２２は、受信部９の受信状態を表示するように構成されており、遠隔操作具７からの信号受信時、非常閉鎖用スイッチ１６のスイッチ切換え時に点灯するとともに、他の機器からの信号受信時には点滅点灯するように構成されている。これによって、表示ランプ２２の点灯状態により受信状態を確認することができ、例えば、シャッターカーテン２を開閉作動させるべく遠隔操作具７を操作しているにもかかわらず、シャッターカーテン２が作動しないような場合に、表示ランプが点滅点灯している状態であれば、他の機器を操作するために出力されている信号が受信されてしまい、受信不能状態となっていると判断することができ、このような不具合に対し速やかに対応できるように構成されている。
【００１８】
前記ケース体１９は、前後方向中間部に仕切り片１９ａが一体形成されており、該仕切り片１９ａには、基板２１ａに固定された非常閉鎖用スイッチ１６、表示ランプ２２と受信部９、復帰スイッチ１７、補助停止用スイッチ１８に前後方向に対向する部位に位置して第一、第二、第三、第四貫通孔１９ｂ、１９ｃ、１９ｄ、１９ｅがそれぞれ開設されている。さらに、取付けプレート２０には、非常閉鎖用スイッチ１６、表示ランプ２２と受信部９、復帰スイッチ１７、補助停止用スイッチ１８に前後方向に対向して第一、第二、第三、第四貫通孔２０ａ、２０ｂ、２０ｃ、２０ｄがそれぞれ開設されている。これによって、仕切り片１９ａ、取付けプレート２０とに形成される各第一、第三、第四貫通孔１９ｂ、１９ｄ、１９ｅ、２０ａ、２０ｃ、２０ｄを通して各スイッチ１６、１７、１８を前方から臨むことができ、また、第二貫通孔１９ｃ、２０ｂを介して表示ランプ２２、受信部９の前方に配された透明樹脂材からなる導光部材２２ａ、９ａを前方から臨むことができるように構成されている。
尚、表示ランプ２２の導光部材２２ａは、ケース体１９奥側の表示ランプ２２からの光をケース体１９前方に向けて導光することで、操作ユニット８から前方への発光状態を顕著にする効果を有し、受信部９の導光部材９ａは信号受信精度を高める効果を有するように構成されている。
【００１９】
そして、非常閉鎖用スイッチ１６前方の取付けプレート２０に形成される第一貫通孔２０ａには、ケース体１９に対し前後方向出没自在に嵌入するスイッチカバー２３が設けられており、該スイッチカバー２３は、ケース体１９に支持されるコイル弾機２３ａにより取付けプレート２０と面一状となって、非常閉鎖用スイッチ１６に干渉しない非作用姿勢となるように付勢されている。そして、スイッチカバー２３は、コイル弾機２３ａの付勢力に抗して後方に押圧されることにより作用姿勢に変姿して、非常閉鎖用スイッチ１６をスイッチ切換えするように構成されている。そしてこの状態になると、非常閉鎖用スイッチ１６からの非常閉鎖信号が制御部６に入力され、前述したように、自動閉鎖装置１３が作動してシャッターカーテン２を自重降下するように構成されている。
さらに、表示ランプ２２、受光部９前方の取付けプレート２０に形成される第二貫通孔２０ｂは、取付けプレート２０の後面に導光部材で形成されたカバー体２０ｅを宛てがうことで覆蓋されており、表示ランプ２２の光、遠隔操作具７からの信号はカバー体２０ｅを透過して、それぞれ外部、または、受光部9に至るように構成されている。
また、復帰スイッチ１７前方の取付けプレート２０に形成される第三貫通孔２０ｃにはスイッチ窓２４が上下方向移動自在に設けられており、前記スイッチ窓２４を押し下げて下方に変位させることにより第三貫通孔２０ｃが開放されて、第三貫通孔２０ｃから臨まれる復帰スイッチ１７のスイッチ切換えができるように構成されている。そして、スイッチ窓２４の下端部には弾機２４ａが設けられているが、該弾機２４ａは、スイッチ窓２４の閉鎖状態では閉鎖方向に向けて付勢し、弾機２４ａに抗してスイッチ窓２４が第三貫通孔２０ｃを開放した状態では、該開放状態を保持するように構成されている。因みに、開放状態のスイッチ窓２４は、弾機２４ａの付勢力に抗して上動させることにより、円滑に閉鎖状態にすることができるように構成されている。
【００２０】
さらに、補助停止用スイッチ１８前方の取付けプレート２０に形成される第四貫通孔２０ｄには、ケース体１９に対し前後方向出没自在に嵌入する停止用スイッチカバー２５が設けられている。前記停止用スイッチカバー２５は、ケース体１９に支持されるコイル弾機２５ａにより取付けプレート２０側に弾圧して補助停止用スイッチ１８に干渉しない非作用姿勢となるように付勢されている。そして、スイッチカバー２５は、コイル弾機２５ａの付勢力に抗して後方に押圧されることにより作用姿勢に変姿して、補助停止用スイッチ１８をスイッチ切換えするように構成されている。そして、制御部６が通常動作モードにおいてシャッターカーテン２が開閉作動している状態において、補助停止用スイッチ１８がスイッチ切換えされて停止操作信号が制御部６に入力されると、シャッターカーテン２の開閉作動を停止するように構成されており、これによって、制御部が通常動作モードにある場合に、遠隔操作具７を所持している人以外でもシャッターカーテン２の開閉作動を停止することができるように構成されている。
尚、補助停止用スイッチ１８は、前述したように遠隔操作具７の停止用スイッチＰＢＳと同様であり、制御部６が非常閉鎖モードである場合では仮令スイッチ切換えされてもシャッターカーテン２の閉鎖作動を停止することがないように構成されている。
【００２１】
また、スイッチカバー２３とスイッチ窓２４との間にはスイッチカバー作動手段が設けられている。前記スイッチカバー作動手段は、スイッチカバー２３が非作用姿勢で、かつ、スイッチ窓２４が閉鎖状態となっている状態においてスイッチ窓２４に対して第一姿勢となっており、スイッチカバー２３が作用姿勢に変姿することに伴い第二姿勢となって、スイッチカバー２３を作用姿勢に保持するように構成されている。さらに、スイッチカバー作動手段は、異常（非常）が回避（解消）された状態において、復帰スイッチ１７をスイッチ切換えするべくスイッチ窓２４を開放状態とすることに基づいて第三姿勢となって、スイッチカバー２３を作用姿勢から非作用姿勢に復帰させるように構成されている。さらに、スイッチカバー作動手段は、スイッチ窓２４を開放状態から閉鎖状態に操作することに伴い、第三姿勢から第一姿勢に復帰するように構成されている。これによって、火災等の異常が発生して制御部６が非常閉鎖モードに切り換わり、自動閉鎖装置１３が駆動してシャッターカーテン２を自重降下させた後に、復帰スイッチ１７を操作して制御部６を通常動作モードに切り換えるべくスイッチ窓２４の開閉操作をすることにより、スイッチカバー２３が非作用姿勢に復帰することになって、従来のスイッチボックスに非常閉鎖用スイッチを設けるもののように、異常解消後に、スイッチボックスのパネル体を修復する等の面倒な修復作業をすることなく元の状態に復帰させることができるように構成されている。
因みに、スイッチカバー作動手段について、ここでの詳細な説明は省略する。
【００２２】
そして、遠隔操作具７によるシャッターカーテン２の通常の開閉制御、さらには、非常時における自重降下をするために必要となり、開口部近傍に設けられる部材が全て設けられた操作ユニット８は、前述したように、開口部左側のガイドレール４に設けられている。
つまり、前記ガイドレール４は金属材により構成されており、シャッターカーテン２の表裏面をガイドする表裏方向一対のガイド片４ａと溝底片４ｂとにより構成されるガイド溝４ｃに、シャッターカーテン２の左右側部が遊嵌状に嵌挿する構成となっている。前記各ガイド片４ａの溝開口側端部には、それぞれ表裏方向に延出する見込み面である支持片４ｄが一体形成されており、これら支持片４ｄが、躯体に固定された断面コ字形の下地材２６の表裏一対の脚片２６ａに固定されるように構成されている。そして、ガイドレール４の表裏方向一方であって、本実施の形態では、図３（Ｂ）において下側に位置する部位には、ガイド片４ａと、支持片４ｄと、下地材脚片２６ａとにより囲繞される空隙部Ｓが形成されている。前記空隙部Ｓを構成する支持片４ｄには切欠き孔４ｅが開設され、該切欠き孔４ｅを介して空隙部Ｓに操作ユニット８のケース体１９部位が内装されており、取付けプレート２０の上下端部を螺子２０ｆを用いて支持片４ｄに固定することにより、操作ユニット８がガイドレール４に支持されている。
【００２３】
これによって、シャッターカーテン２の操作に必要な遠隔操作具７以外の全ての部材であって、受信部9を含む部材がガイドレール４に纏めて設けられており、開閉操作に必要な操作部材をスイッチボックスに収容して躯体壁面に設ける従来のもののように、スイッチボックスを開口部に別途設けることにより生じる不具合を解消することができるように構成されている。しかも、シャッターカーテン２は遠隔操作具７を所有する操作者のみが操作することができて防犯性に優れるものであるが、操作ユニット８には、遠隔操作具７の停止用スイッチＰＢＳに相当する補助停止用スイッチ１８が設けられていて、シャッターカーテン２が遠隔操作具７により操作されている（開閉作動している）場合では、シャッターカーテン２近傍にいる人が必要において補助停止用スイッチ１８を押し操作することでシャッターカーテン２の開閉作動を停止できるように構成されている。
そして、操作ユニット８の非常閉鎖用スイッチ１６と復帰スイッチ１７とから引出される配線８ａ、そして、補助停止用スイッチ１８から引出される配線８ｂは、図５から明らかなように、基板２１ａから引き出されたものがそれぞれガイドレール４の空隙部Ｓ内を経由して制御部６に接続されるように構成されており、これによって、火災対策のための配線用の金属パイプを別途設けることなく制御部６との間を配線することができて、部材の兼用化を果せるように構成されている。
【００２４】
叙述の如く構成された本形態において、通常の使用状態では遠隔操作具７の操作に基づいてシャッターカーテン２の開閉作動がなされ、火災等が発生した非常時に煙感知器１４が感知作動した場合、あるいは、煙感知器１４が作動する以前の段階で操作ユニット８の非常閉鎖用スイッチ１６が押し操作された場合では、自動閉鎖装置１３が作動してブレーキ解除レバー１２を解除姿勢としてシャッターカーテン２の自重降下がなされる。このものにおいて、通常のシャッターカーテン２の開閉作動については、遠隔操作具７と、該遠隔操作具７からの信号を受信する受信部9とにより操作する構成とすることにより防犯対策を図ることができる。そのうえ、通常の使用状態、火災等の異常が発生した非常時においてそれぞれ操作するのに必要な部材である受信部９と非常閉鎖用スイッチ１６とが設けられた操作ユニット８はガイドレール４に設けられているので、操作ユニット８が躯体壁面の意匠を損なうようなことがないうえ、防火シャッター装置１の設置工事を躯体工事と区別化できるため、躯体工事完了前に防火シャッター装置１の設置工事をしたとしても設置時に操作ユニット８を配設することができ、開口部近傍の壁面にスイッチボックスを設ける従来のもののように、防火シャッター装置１の設置後に再度工事が必要となるような無駄を排除することができる。さらには、操作ユニット８からの配線８ａ、８ｂをガイドレール４の空隙部Ｓを経由して制御部６側に引出すことができて、防火対策用の金属製パイプに配線８ａ、８ｂを収納する等の配慮が不要となって、部品点数の削減を図ることができ、構成の簡略化、コスト低下に寄与できる。
【００２５】
このように、本発明が実施されたものにあっては、ガイドレール４に操作ユニット８が設けられて防火シャッター装置１の工事を躯体工事にかかわることがないようにできるものであるが、このものにおいて、操作ユニット８には、遠隔操作具７に設けられる停止用スイッチＰＢＳと同様の機能を有し、制御部６の通常動作モードで開閉作動するシャッターカーテン２の開閉作動を停止するための補助停止用スイッチ１８が設けられているので、遠隔操作具７を所持している人がシャッターカーテン２から離れても、シャッターカーテン２近傍にいる人が必要において停止させることができて、操作性に優れた防火シャッター装置１とすることができる。
【００２６】
しかも、このものにおいて、火災等の非常時になることに伴い、煙感知器１４、または、非常閉鎖用スイッチ１６のスイッチ切換えにより、制御部６が通常動作モードから非常閉鎖モードに切換えられてシャッターカーテン２の自重降下がなされ、非常状態の解消後では、制御部６を通常動作モードに復帰させる必要があるが、このものでは、ガイドレール４に設けられる操作ユニット８の復帰スイッチ１７をスイッチ切換えすることで復帰させることができ、高所に配設されている制御部６を直接操作する等の作業をすることなく制御部６を通常動作モードにすることができ、操作性、メンテナンス性に優れた防火シャッター装置１とすることができる。
【００２７】
さらに、このものにおいて、操作ユニット８には表示ランプ２２が設けられており、受信部9の受信状態が目視できるようになっているが、表示ランプ２２はガイドレール４に設けられるので、目視しやすく操作性に優れる。しかも、表示ランプ２２は、他の機器から信号を受信していて遠隔操作具７からの受信ができない状態では点滅点灯するので、点灯状態を目視することで受信不能状態を確認することができて、一層操作性の優れた防火シャッター装置１とすることができる。
【００２８】
尚、本発明は、前記実施の形態に限定されないことは勿論であって、前記第一の実施の形態では、操作ユニットをガイドレールの見込み面に設けているが、ガイドレールの表裏方向一方の面である見付け面に設けるようにしてもよい。また、操作ユニットは、ケース体をガイドレールに形成される空隙部に内装するように設ける必要は必ずしもなく、設置箇所や用途に応じてケース体をガイドレールの外部に露出させる配設状態としてもよい。
【産業上の利用可能性】
【００２９】
本発明は、開口部に設けられる防火シャッター装置であって、特に、通常時に電動シャッターとして用いられる防火シャッター装置に利用することができる。
【符号の説明】
【００３０】
１  防火シャッター装置
２  シャッターカーテン
３  開閉機
３ａ  シャッター制御盤
４  ガイドレール
５  電動モータ
６  制御部
７  遠隔操作具
８  操作ユニット
９  受信部
１１  障害物検知スイッチ
１２  ブレーキ解除レバー
１３  自動閉鎖装置
１４  煙感知器
１６  非常閉鎖用スイッチ
１７  復帰スイッチ
１８  補助停止用スイッチ
１９  ケース体
２０  取付けプレート
２２  表示ランプ
２３  スイッチカバー
２４  スイッチ窓
２５  停止用スイッチカバー
【図１】
0005534773.tif 000002
【図２】
0005534773.tif 000003
【図３】
0005534773.tif 000004
【図４】
0005534773.tif 000005
【図５】
0005534773.tif 000006